【手続補正書】
【提出日】平成25年3月14日(2013.3.14)
【手続補正１】
【補正対象書類名】特許請求の範囲
【補正対象項目名】全文
【補正方法】変更
【補正の内容】
【特許請求の範囲】
【請求項１】
生体の心尖拍動と右室拍動と左房拍動のうちの少なくとも１種類の拍動としての心拍動あるいは上行大動脈拍動あるいは肺動脈（肺動脈幹と中枢側肺動脈の少なくとも一方を含む）拍動あるいは腹部大動脈拍動あるいは肝拍動のうちの少なくとも１つの拍動図を作成することができる測定値を波動の反射の測定結果として検出することができる新規の生体反応記録装置であって、前記生体反応記録装置は、少なくとも１つの前記拍動の検出部位の動きを、波動の反射波動を利用して測定する反射波動検出センサーと測定されたデータを基に生体反応情報（以下、生体情報ともいう）を検出することができる演算処理部等のデータ処理手段と測定されたデータの少なくとも主要部分とデータ処理手段を用いて検出された生体情報あるいはデータ処理手段を用いて処理された情報あるいは処理途中の情報などのデータ（以下、データ処理手段を用いて検出された生体情報あるいはデータ処理手段を用いて処理された情報あるいは処理途中の情報などのデータを検出データともいう）のうちの少なくとも一種類を記憶することができる記憶手段と表示手段を有しているとともに、前記反射検出センサーは測定部位の複数箇所の測定データを区別して測定することができる複数の検出センサーから構成されており、前記反射検出センサーは前記測定する１つの拍動に関して生体の反射情報をそれぞれ測定することができ、前記記憶手段は前記複数箇所の測定データの少なくとも主要部分と前記検出データの少なくとも一方を記憶することができることを特徴とする生体反応記録装置。
【請求項２】
生体の心尖拍動図を作成することができる測定値を圧力変化及び／あるいは波動の反射の測定結果として検出することができる新規の生体反応記録装置であって、前記生体反応記録装置は、少なくとも１つの前記拍動の検出部位の動きを、圧力変化として測定することができる圧力センサー及び／あるいは波動の反射を利用して測定する反射検出センサーと測定された信号等の増幅手段と測定されたデータを基に生体反応情報（以下、生体情報ともいう）を検出することができる演算処理部等のデータ処理手段と測定されたデータの少なくとも主要部分とデータ処理手段を用いて検出された生体情報あるいはデータ処理手段を用いて処理された情報あるいは処理途中の情報などのデータのうちの少なくとも一方を記憶することができる記憶手段（以下、データ処理手段を用いて検出された生体情報あるいはデータ処理手段を用いて処理された情報あるいは処理途中の情報などのデータを検出データともいう）と表示手段を有しているとともに、前記圧力センサー及び／あるいは反射検出センサーは測定部位の複数箇所の測定データを区別して測定することができる複数の検出センサーから構成されており、前記圧力センサー及び／あるいは反射検出センサーは前記測定する１つの拍動に関して生体の圧力及び／あるいは反射情報をそれぞれ測定することができ、前記記憶手段は前記複数箇所の測定データの少なくとも主要部分と前記検出データの少なくとも一方を記憶することができることを特徴とする生体反応記録装置。
【請求項３】
請求項１または２に記載の生体反応記録装置において、前記表示手段に生体の健康状態に関する判定情報を表示することができることを特徴とする生体反応記録装置。
【請求項４】
請求項３に記載の生体反応記録装置において、前記表示手段に、前記判定情報を健康、要注意１，要注意２，危険などの健康レベルを付して表示することができることを特徴とする生体反応記録装置。
【請求項５】
請求項１〜４のいずれか１項に記載の生体反応記録装置において、前記生体の健康状態に関する判定情報が、心電図と心音図と拍動図波形と拍動図波形の特徴点と拍動波形を時間で微分した一次微分データと前記一次微分データを時間で微分した二次微分データのうちの少なくとも２つにより判定した情報であることを特徴とする生体反応記録装置。
【請求項６】
請求項１〜５のいずれか１項に記載の生体反応記録装置において、１拍動期間において、心音図から２音（大動脈弁閉鎖音）を同定し、心尖拍動図波形において、時間軸(横軸)方向で、２音より前に存在し、２音との間隔が５０ｍｓｅｃ未満の２音に最も近い陽性極値をＳ点とし、Ｓ点が存在すれば、高度の左室障害（収縮障害、拡張障害）の可能性は低いとし、Ｓ点が存在しなければ、左室拡張障害が示唆されるとし、及び／あるいは左室拡張障害とは別に左室収縮障害が示唆されるとし、及び／あるいは中等度以上の左室肥大があり、左室収縮が正常である例が疑われるとして情報処理を行うことを特徴とする生体反応記録装置。
【請求項７】
請求項１〜５のいずれか１項に記載の生体反応記録装置において、１拍動期間において、心音図から２音（大動脈弁閉鎖音）を同定し、心尖拍動図波形において、時間軸(横軸)方向で、２音より前に存在し、２音との間隔が５０ｍｓｅｃ未満の２音に最も近い陽性極値をＳ点とし、心電図のＱＲＳ波の頂点付近に陰性極値が存在するときはその陰性極値点をＣ点とし、心電図のＱＲＳ波の頂点付近に陰性極値がない場合は、心電図のＲから垂線を下ろし、その垂線と心尖拍動図波形が交わった点をＣ点とし、Ｃ点から１５０ｍｓｅｃ未満後の陽性極値をＥ点とし、Ｅ点もＳ点も存在しないときにＣ点から１５０ｍｓｅｃ以上遅れて、かつ、心音図の２音から５０ｍｓｅｃ以上前に存在する陽性極値をＰ点としたとき、Ｅ点とＳ点が存在せずＰ点が存在する時は異常と判定して情報処理を行うことを特徴とする生体反応記録装置。
【請求項８】
請求項１〜７のいずれか１項に記載の生体反応記録装置において、前記生体反応記録装置が同一被測定生体の異なる複数の時期に測定された前記検出データと複数生体の少なくとも一方の統計データを記憶する統計データ記憶手段を有していることを特徴とする生体反応記録装置。
【請求項９】
請求項１〜８のいずれかに記載の生体反応記録装置において、心尖拍動図の一次微分波形のｅ点からｆ点直前の最下点までの間の微分値が零の近傍に、微分波形のみから水平に推移すると判断できる区間があれば正常と判定し、水平に推移すると判断できる区間がなければ正常といえないと判定して情報処理を行うことを特徴とする生体反応記録装置。
【請求項１０】
請求項９に記載の生体反応記録装置において、心尖拍動図の一次微分波形のｆ点の直前の最下点の位置が、前記最下点の直前の微分値が零の点と前記最下点の直後の微分値が零の点との間の区間の前半部分に位置する場合は正常の左室拡張能を有すると判定して情報処理を行うことを特徴とする生体反応記録装置。
【請求項１１】
請求項１〜１０のいずれか１項に記載の生体反応記録装置において、心音図から２音（大動脈弁閉鎖音）を同定し、時間軸(横軸)において、心尖拍動図波形において２音から５０ｍｓｅｃ以上後で、心尖拍動図の最初の陰性極値をＯ点とし、２音からＯ点までの時間を２−Ｏ時間とし、２−Ｏ時間が１５０ｍｓｅｃ未満を正常とし、１５０ｍｓｅｃ以上から２００ｍｓｅｃ未満を異常として情報処理を行うことを特徴とする生体反応記録装置。
【請求項１２】
請求項１〜１１のいずれかに記載の生体反応記録装置において、Ｏ点から後に存在し、Ｏ点から１５０ｍｓｅｃ未満の最初の陽性極値をＦ点とし、Ｏ点からＦ点までの時間をＯ―Ｆ時間とし、Ｏ―Ｆ時間が１００ｍｓｅｃ未満を正常とし、１００ｍｓｅｃ以上で１５０ｍｓｅｃ未満を異常として情報処理を行うことを特徴とする生体反応記録装置。
【請求項１３】
請求項１〜１２のいずれかに記載の生体反応記録装置において、左房収縮による陽性波をＡ波とし、Ａ波の陽性極値をＡ点とし、心尖拍動図の一次微分波形におけるＡ波、Ｅ波およびＦ波の陽性ピーク値をそれぞれａ点、ｅ点、ｆ点とし、各ａ点、ｅ点、ｆ点を相対値として比較し検討し、ｆ点の高さがｅ点の高さの２分の１未満の時を正常と判定し、ｆ点の高さがｅ点の高さの２分の１以上で、３分の２未満の時、境界域で要注意と判定し、ｆ点の高さがｅ点の高さの３分の２以上で異常と判定して情報処理を行うことを特徴とする生体反応記録装置。
【請求項１４】
請求項１〜１３のいずれかに記載の生体反応記録装置において、心尖拍動図および／またはその一次微分波形の各特徴点（Ａ点、Ｃ点、Ｅ点、Ｓ点、Ｏ点、Ｆ点，ａ点，ｅ点，ｆ点）の少なくとも１つに関し、時相、高さに関して設定された所定の範囲を有しており、測定された各データがその範囲に入るか否かを判定する手段を有していることを特徴とする生体反応記録装置。
【請求項１５】
請求項１〜１４のいずれかに記載の生体反応記録装置において、心尖拍動図および／またはその一次微分波形の各特徴点（Ａ点、Ｃ点、Ｅ点、Ｓ点、Ｏ点、Ｆ点，ａ点，ｅ点，ｆ点）の少なくとも１つに関し、時相、高さに関する所定の範囲を測定者が入力して設定することができる手段を有しており、測定された各データがその範囲に入るか否かを判定する手段を有していることを特徴とする生体反応記録装置。
【請求項１６】
請求項１〜１５のいずれかに記載の生体反応記録装置において、心尖拍動図および／またはその一次微分波形の各特徴点（Ａ点、Ｃ点、Ｅ点、Ｓ点、Ｏ点、Ｆ点，ａ点，ｅ点，ｆ点）の少なくとも１つに関し、時相、高さに関する所定の範囲を測定者がタブレットなどを用いて図形として入力して設定することができる手段を有しており、測定された各データがその範囲に入るか否かを判定する手段を有していることを特徴とする生体反応記録装置。
【請求項１７】
請求項１〜１６のいずれかに記載の生体反応記録装置において、前記生体反応記録装置は他の装置との送受信を行うことができる装置であることを特徴とする生体反応記録装置。